(57)【要約】      （修正有）【課題】微調整可能な並列式スライド座バイスを提供する。【解決手段】本考案はスライド座１の上端にありみぞ座１１が設けられ、バイス本体２の底端にありみぞレール２１が設けられ、かつバイス本体２の上端に固定口金５が結合され、中央にメインスクリュー４が取り付けられ、メインスクリュー４はナット座を駆動し、ナット座の上端に活動口金６が結合され、これによってバイス本体２のありみぞレール２１をスライド座２のありみぞ座１１に結合し、それによってスライド座１に並列結合される複数個のバイス本体２は座標の精密度を微調整することができ、挟まれるすべての工作物は一致した精密度が達成される。【選択図】図４
0003151704.tif 000002
【実用新案登録請求の範囲】
【請求項１】
微調整可能な並列式スライド座バイスであって、
上端にありみぞ座が設けられるスライド座と、
底端にありみぞ座と結合するありみぞレールが設けられ、中央に凹溝が設けられ、凹溝の両側にはそれぞれレールが設けられてあるバイス本体と、
スライド可能にバイス本体の凹溝内に取り付けられ、中間には貫通するねじ孔が設けられてあるナット座と、
回転可能にバイス本体の凹溝に取り付けられ、並びにナット座のねじ孔に結合されてナット座を前後に移動するよう駆動するメインスクリューと、
バイス本体の二本のレールの一端に結合される固定口金と、
ナット座の上端に結合される活動口金と、を備えることを特徴とする微調整可能な並列式スライド座バイス。
【請求項２】
前記スライド座の両側にはそれぞれ嵌め溝が設けられ、嵌め溝には押し塊が結合されてあることを特徴とする請求項１記載の微調整可能な並列式スライド座バイス。
【請求項３】
前記バイス本体のありみぞレールの方向は前記メインスクリューの方向と垂直であることを特徴とする請求項１記載の微調整可能な並列式スライド座バイス。
【請求項４】
前記バイス本体のありみぞレールの方向は前記メインスクリューの方向と平行であることを特徴とする請求項１記載の微調整可能な並列式スライド座バイス。
【請求項５】
前記バイス本体の凹溝の一端には支え板が結合され、支え板の中央には階段状の通し孔が設けられ、前記メインスクリューの一端は回転可能に支え板の通し孔に取り付けられ、かつメインスクリューの他の一端は前記ナット座のねじ孔に結合されてあることを特徴とする請求項１記載の微調整可能な並列式スライド座バイス。
【請求項６】
前記メインスクリューの一端には一段の外ねじ及び当て環が設けられ、他の一端に一段の主ねじが設けられ、外ねじ個所には押し環が設けられ、押し環の内環壁には内ねじ及び複数個の径方向に貫通するねじ孔が設けられ、各ねじ孔にはねじが結合されてあり、これによって押し環は支え板の通し孔内に結合され、当て環は支え板の内面に当て付けることを特徴とする請求項５記載の微調整可能な並列式スライド座バイス。
【請求項７】
前記固定口金及び活動口金の上端にはそれぞれ階段部が設けられてあることを特徴とする請求項１記載の微調整可能な並列式スライド座バイス。
【請求項８】
前記固定口金及び活動口金は矩形の塊であることを特徴とする請求項１記載の微調整可能な並列式スライド座バイス。
【請求項９】
前記バイス本体はスライド座で移動することができることを特徴とする請求項１記載の微調整可能な並列式スライド座バイス。
【考案の詳細な説明】
【技術分野】
【０００１】
本考案は微調整可能な並列式スライド(slide)座バイス(vice)に係り、特にバイス本体が並列にスライド座に組み付けられ、座標位置を精密に微調整可能な並列式スライド座バイスの構造設計に関する。
【背景技術】
【０００２】
図１及び図２のように、従来の並列式バイスはラック(rack)10を含み、その上端には歯型101が設けられてある。固定顎20の底端面には相応する歯型201が設けられ、その一端には斜面202が設けられ、他の一端は挟み面203である。活動顎30の一端には斜面301が設けられ、他の一端は挟み面302であり、これによって活動顎30は固定顎20の斜面202の一端に組み付けられる。楔40は、固定顎20と活動顎30の斜面202及び301の間に結合され、下向きに楔40を締め付ける方式により、活動顎30はラック10で移動することができ、工作物50を挟むことに用いられる。
【０００３】
ところが、従来のバイスのラック10と固定顎20は歯型101及び201の結合を採用し、歯型101及び201のピッチ(pitch)は相当に一致した精密度が必要であり、そのために歯型101及び201を製造する過程は面倒かつ困難になり、実際的には一致性の精密度に到達することが難しい。複数個の固定顎20、活動顎30及び楔40がラック10上に結合し、かつ複数個のラック10が並列に応用された場合、その座標位置は誤差を発生し、この誤差は歯型101及び201の最小ピッチ（図２示めすPの長さ）の制限を受け、前後の微調整の作動を実施することができなくなり、そのために大きな欠陥が存在する。また、従来の並列式バイスは楔40で活動顎30を押し動かす方式を用いて挟む力を発生させるが、その挟む力はやや小さく、活動顎30の行程も短すぎる。かつ図１に示すように、使用時は工作物50の下側に敷金60を置かなければならず、バランス(balance)を保持することが難しく、また楔40が活動顎30を押し動かした場合、活動顎30は常に傾斜現象が発生し、そのために活動顎30が工作物50を挟んだ場合、図３に示すように、工作物50がアンバランス(unbalance)によって傾斜して立ち上がりやすく、工作物50の加工の精密度に影響を与える。
【考案の概要】
【考案が解決しようとする課題】
【０００４】
本考案の主要目的は微調整可能な並列式スライド座バイスを提供することであり、それはスライド座及びバイス本体のありみぞ座及びありみぞレール(rail)の設計により、スライド座上に結合される複数個のバイスは座標の精密度を微調整することができ、よって、精密に並列する目的が達成される。
【０００５】
本考案の次の目的は簡単容易なバイス構造の設計により、従来の楔で活動顎を押し動かすことによる挟む力が小さすぎる、行程が短すぎる、及び傾きやすいといった欠点を改善する微調整可能な並列式スライド座バイスを提供することである。
【課題を解決するための手段】
【０００６】
上記目的を達成するため、本考案は微調整可能な並列式スライド座バイスであって、それはスライド座の上端にありみぞ座が設けられ、バイス本体の底端にありみぞレールが設けられ、かつバイス本体の上端に固定口金が結合され、中央にメインスクリュー(main screw)が取り付けられ、メインスクリューはナット座を駆動し、ナット(nut)座の上端に活動口金が結合され、これによってバイス本体のありみぞレールをスライド座のありみぞ座に結合し、スライド座に並列結合される複数個のバイス本体は座標の精密度を微調整することができ、挟まれるすべての工作物は一致した精密度が達成される。
【考案の効果】
【０００７】
バイス本体2がスライド座1に於いて座標位置を精密に微調整することができ、従来の並列式バイスの歯型のピッチの制限を受けないので、多数列のスライド座1が図１４及び図１５に示すように並列して応用された場合、その複数個のバイスは同じ座標位置に精密に微調整することができ、それによってすべての工作物は一致性の精密度に到達できる。また、本考案はメインスクリュー4を採用してナット座3及び活動口金6を駆動するため、固定口金5及び活動口金6は工作物の挟みに用いられることができ、その挟みの力及び堅固性は従来の楔で押す方式よりも良く、かつ活動口金6の行程はより大きくなり、工作物のサイズ(size)によってより容易に調整することができる。他に図１５に示すように、本考案の固定口金5及び活動口金6には階段部51、61が設けられ、それは工作物7を階段部51、61に平衡に置くことができ、これによって小型または薄い工作物の挟み持ちに用いられ、活動口金6及び薄い工作物8の立ち上がりを有効に防止することができ、精密に挟み持つ効果が達成される。
【図面の簡単な説明】
【０００８】
【図１】従来の並列式バイスの側面図である。
【図２】従来の並列式バイスの歯型の拡大意表図である。
【図３】従来の並列式バイスの工作物が傾いた状態の意表図である。
【図４】本考案の最適実施例の局部分解立体図である。
【図５】本考案の最適実施例の全体分解立体図である。
【図６】本考案最適実施例のバイスの組み合わせ立体図である。
【図７】本考案最適実施例のバイスの組み合わせ断面図である。
【図８】本考案最適実施例のバイスの平面図である。
【図９】本考案最適実施例のバイスの側面図である。
【図１０】本考案の口金の別の最適実施例の立体図である。
【図１１】本考案のありみぞレールの別の最適実施例の立体図である。
【図１２】本考案最適実施例の応用状態の意表図一である。
【図１３】本考案最適実施例の応用状態の意表図二である。
【図１４】本考案最適実施例の応用状態の意表図三である。
【図１５】本考案最適実施例の工作部を挟んだ意表図である。
【考案を実施するための形態】
【０００９】
図面に示すように、本考案の微調整可能な並列式スライド座バイスの最適実施例はスライド座1、バイス本体2、ナット座3、メインスクリュー4、固定口金5及び活動口金6から構成される。
【００１０】
図４及び図５に示すように、スライド座1は長い矩形の塊に構成され、その上端面にはありみぞ座11が設けられ、両側壁にはそれぞれ嵌め溝12が設けられ、各嵌め溝12に押し塊13が結合され、押し塊13はL形の塊であり、スライド座1を工作機械の工作台またはその他設備に固定することに用いられる。
【００１１】
図４から図９に示すように、バイス本体2の底端にはありみぞ座11に結合されるありみぞレール21が設けられ、ありみぞレール21の方向は次に述べるメインスクリュー4の方向と、垂直または平行（図11の如く）に構成されることができ、ありみぞレール21の一側壁には外側壁と連通する複数個のねじ孔22が設けられ、各ねじ孔22内には固定部材23が結合され、並びにありみぞレール21の一側壁には一枚の楔24が結合され、これによってありみぞレール21はありみぞ座11に結合及び定位することができる。また、バイス本体2の中央には凹溝25が設けられ、凹溝25の両側にはそれぞれレール26及びスライド溝27が設けられ、各レール26の一端上面にはそれぞれ定位溝261が設けられる。凹溝25の他の一端には支え板28が結合され、支え板28の中央には階段状の通し孔281が設けられ、通し孔281によって次に述べるメインスクリュー4は回転可能に取り付け結合される。
【００１２】
図４及び図５に示すように、ナット座3は一つの塊であり、中間には貫通したねじ孔31が設けられ、その上端には定位溝32及び屑防止当て板33が設けられ、両側壁にはそれぞれ突起筋34が設けられ、これによってスライド可能にバイス本体1の凹溝25内に取り付けられ、突起筋34を用いてスライド溝27に沿って移動することができ、並びに屑防止当て板33によって凹溝25に覆い被さる。
【００１３】
図４及び図５に示すように、メインスクリュー4は、バイス本体1の凹溝25の一端支え板28の通し孔281に回転可能に取り付けられ、かつメインスクリュー4はナット座3のねじ孔31に結合され、ナット座3を前後に移動するよう駆動する。その最適実施方式はメインスクリュー4の一端に一段の外ねじ41及び当て環42が設けられ、他の一端には主ねじ43が設けられ、外ねじ41個所には押し環44が結合され、押し環44の内環壁には内ねじ441及び複数個の径方向に貫通するねじ孔442が設けられ、各ねじ孔442にはねじ443が締め付けられ、これによって押し環44はメインスクリュー4に固定され、かつ支え板28の通し孔281内に結合され（図７に示す如く）、当て環42は支え板28の内面に当て付け、別の主ねじ43はナット座3のねじ孔31内に結合される。
【００１４】
図４から図９に示すように、固定口金5の上端には階段部51が設けられ、それの底端はバイス本体2の二本のレール26一端の定位溝261に結合される。この他、図１０に示すように、前記固定口金5は階段部51のない矩形の塊でもよい。
【００１５】
活動口金6、図４から図９に示すように、それの上端には階段部61が設けられ、それの底端はナット座3上端の定位溝32に結合される。この他、図１０に示すように、前記活動口金6は階段部61のない矩形の塊でもよい。
【００１６】
上記最適実施例によって本考案微調整可能な並列式スライド座バイスを構成するが、応用時は図１２及び図１３に示すように、バイス本体2底端のありみぞレール21を用いてスライド座1のありみぞ座11に結合することができ、これによって複数個のバイスが並列し、かつバイス本体2は工作物の長さによってスライド座1上で弾性的に移動することができ、複数個の工作物を挟むことができ、または共同に一つの工作物を挟むことができる。他に図１０に示すように、本考案はバイスが結合される複数個のスライド座1を並列または取り巻くように基座7に結合し、またはスライド座1を型の周囲に取り巻くようにし、これによってそれぞれ複数個の工作物の挟みに用いられ、または共同に一つの工作物を挟むことができる。
【符号の説明】
【００１７】
1      スライド座
11     ありみぞ座
12     嵌め溝
13     押さえ塊
2      バイス本体     
21     ありみぞレール
22     ねじ孔
23     固定部材
24     楔
25     凹溝
26     レール
261    定位溝
27     スライド溝
28     支え板
281    通し孔
3      ナット座
31     ねじ孔
32     定位溝
33     屑防止当て板
34     突起筋
4      メインスクリュー
41     外ねじ
42     当て環
43     主ねじ
44     押し環
441    内ねじ
442    ねじ孔
443    ねじ
5      固定口金
51     階段部
6      活動口金
61     階段部
7      基座
【図１】
0003151704.tif 000003
【図２】
0003151704.tif 000004
【図３】
0003151704.tif 000005
【図４】
0003151704.tif 000006
【図５】
0003151704.tif 000007
【図６】
0003151704.tif 000008
【図７】
0003151704.tif 000009
【図８】
0003151704.tif 000010
【図９】
0003151704.tif 000011
【図１０】
0003151704.tif 000012
【図１１】
0003151704.tif 000013
【図１２】
0003151704.tif 000014
【図１３】
0003151704.tif 000015
【図１４】
0003151704.tif 000016
【図１５】
0003151704.tif 000017